(57)【特許請求の範囲】
【請求項１】
浴室の天井部に設置される送風装置であって、
ファンケース内でファンの周面の一方側に形成されている送風路に、当該送風路から室内に流れる空気を利用して当該室内の空気を処理する複数の空気処理部が直交して配置された空気処理装置を備え、
前記ファンケースの前記送風路に対応する部分に取り付け用開口部を設け、
前記空気処理装置の複数の空気処理部が前記天井部に対して下向きに且つ前記送風路に露出するように当該空気処理装置を前記取り付け用開口部に嵌め込んで前記ファンケースの外側に配置したことを特徴とする送風装置。
【請求項２】
請求項１に記載の送風装置において、
前記送風路に、前記複数の空気処理部を通る空気の流れを各空気処理部を通る空気の流れに分離する整流板を配置したことを特徴とする送風装置。
【請求項３】
請求項２に記載の送風装置において、
前記整流板を前記空気処理装置よりも下流側に配置したことを特徴とする送風装置。
【請求項４】
請求項１に記載の送風装置において、
前記空気処理装置と前記取り付け用開口部との間に防水性のシール材を設けたことを特徴とする送風装置。
【請求項５】
請求項１に記載の送風装置において、
前記ファンケースの外面に前記空気処理装置を収容するホルダーを取り付けたことを特徴とする送風装置。
【請求項６】
請求項５に記載の送風装置において、
前記ホルダーと前記ファンケースの外面との間に防水性のシール材を設けたことを特徴とする送風装置。
【発明の詳細な説明】
【技術分野】
【０００１】
本発明は、浴室等の室内の換気、暖房、乾燥等に使用される送風装置に関し、特に送風路から室内に流れる空気を利用して室内の空気を処理する空気処理装置を備えた送風装置に関する。
【背景技術】
【０００２】
従来より、浴室等の換気、暖房、乾燥等には、例えば特許文献１に記載されているような送風装置が使用されている。
【０００３】
特許文献１の送風装置では、ファンケース内にファンが配置されており、ファンの周面の一方側には送風路が形成されている。この送風路には、イオン発生装置（空気処理装置）のプラス電極とマイナス電極（複数の空気処理部）が配置されている。
【０００４】
このプラス電極とマイナス電極からはプラスイオンとマイナスイオンがそれぞれ発生する。このプラスイオンとマイナスイオンは、送風路を流れる空気に放出されて室内に送られ、室内の空気中にある菌を分解して室内の空気を清浄にしている。
【先行技術文献】
【特許文献】
【０００５】
【特許文献１】特開２００４−３５３９７７号公報
【発明の概要】
【発明が解決しようとする課題】
【０００６】
しかしながら、特許文献１の送風装置は、イオン発生装置のプラス電極とマイナス電極が送風路と平行に配置されているため、それぞれの電極を通った空気は混ざり合う。したがって、双方の電極から発生したプラスイオンとマイナスイオンは打ち消されるので室内に送ることができず、室内の空気の処理を十分に行うことができない。
【０００７】
本発明は、このような従来の課題に鑑みてなされたものであり、室内の空気の処理効率を高めることができる送風装置を提供することを目的とする。
【課題を解決するための手段】
【０００８】
本発明者等は、鋭意研究の結果、前記課題を解決するために以下のような送風装置を採用した。
【０００９】
本発明の送風装置は、
ファンケース内でファンの周面の一方側に形成されている送風路に、当該送風路から室内に流れる空気を利用して当該室内の空気を処理する複数の空気処理部が直交して配置された空気処理装置を備えることを特徴としている。
【００１０】
ここで、送風路に、複数の空気処理部を通る空気の流れを各空気処理部を通る空気の流れに分離する整流板を配置することが好ましい。
【００１１】
さらに、整流板を空気処理装置よりも下流側に配置することが好ましい。
【００１２】
また、空気処理装置をファンケースの外側に配置して複数の空気処理部を送風路に露出して配置しても良い。
【００１３】
この場合には、ファンケースの送風路に対応する部分に取り付け用開口部を設け、空気処理装置を取り付け用開口部に嵌め込んで複数の空気処理部を送風路に露出して配置することが好ましい。
【００１４】
さらに、この場合には、空気処理装置と取り付け用開口部との間に防水性のシール材を設けることが好ましい。
【００１５】
また、ファンケースの外面に空気処理装置を収容するホルダーを取り付けても良い。
【００１６】
この場合には、ホルダーとファンケースの外面との間に防水性のシール材を設けることが好ましい。
【発明の効果】
【００１７】
本発明の送風装置では、送風路に複数の空気処理部を直交して配置したので、各空気処理部を通った空気が混ざり合わずに室内へ送ることが可能になる。よって、本発明の送風装置は、室内の空気の処理効率を高めることができる。
【図面の簡単な説明】
【００１８】
【図１】本発明の一実施の形態の送風装置の分解斜視図である。
【図２】同実施の形態の送風装置を下側から視た図である。
【図３】図２からフロントパネルを外して下側から視た図である。
【図４】同実施の形態のイオン発生装置の下流側に整流板を配置した場合の空気の流れを示す図である。
【図５】（ａ）はイオン発生装置の上流側に整流板を配置した場合の空気の流れを示す図である。（ｂ）はイオン発生装置の上流側と下流側に整流板を配置した場合の空気の流れを示す図である。
【図６】図２のＮ−Ｎ断面図である。
【図７】同実施の形態の送風装置においてイオン発生装置の取り付け構造を含む分解斜視図である。
【図８】ホルダーを左右に分割した状態を示す図である。
【図９】（ａ）はホルダーの上面図である。（ｂ）はホルダーの前面図である。
【図１０】（ａ）はイオン発生ユニットの底面図である。（ｂ）はイオン発生ユニットの後面図である。
【発明を実施するための形態】
【００１９】
以下、本発明の実施の形態を図にしたがって説明する。
【００２０】
図１は本発明の一実施の形態の送風装置１の分解斜視図である。この送風装置１は室内の一例である浴室の換気、暖房、乾燥に使用されるものであり、浴室の天井部に設けられる。また、この送風装置１は、送風装置本体２と、送風装置本体２の底面に装着されたフロントパネル３と、送風装置本体２を覆う外ケース４とを備えている。
【００２１】
フロントパネル３は樹脂製であり、送風装置本体２の底面を覆う板状に形成されている。このフロントパネル３には、図２に示すように取込口３１と吹出口３２とが設けられている。吹出口３２の両側にはフィルター１１０の収容口１００，１００が設けられている。フィルター１１０は、双方の収容口１００，１００に通して裏側に収容されている。
【００２２】
外ケース４は金属製であり、図１に示すように送風装置本体２を覆う箱状に形成されている。この外ケース４の側壁には排出口４１が設けられている。この排出口４１にはジョイント接続部材４２が取り付けられている。このジョイント接続部材４２には排出ダクト（図示せず）が接続されており、排出ダクトは建物の外に通されている。また、外ケース４は、後述する基板２５を覆う基板カバー部４３と、後述するイオン発生ユニット３０を覆うイオン発生ユニットカバー部４４と、電源接続に使用される端子台（図示せず）を覆う端子台カバー部４５とを備えている。
【００２３】
送風装置本体２は、図示しないが、浴室の天井部に設けられた天井開口に浴室側から嵌め込まれて下部が浴室に露出して設置される。この送風装置本体２は、図１と図３に示すように、ファンケース２１と、ファンケース２１内に設けられたファン２２、ヒータ２３、ダンパ２４、基板２５、イオン発生ユニット３０（イオン発生装置２６およびホルダー２７）を備えている。
【００２４】
ファンケース２１は底壁が開口した箱状に形成されており、天井開口に嵌め込まれるように形成されている。図３に示すようにファンケース２１の底壁には、フロントパネル３の取込口３１と対応する部分に取込口２１１が形成されており、フロントパネル３の吹出口３２と対応する部分に吹出口２１２が形成されている。
【００２５】
また、図１と図３に示すようにファンケース２１の上面には、取込口２１１と対向するファン用収容部２１３と、吹出口２１２と対向するヒータ用収容部２１４とが上方に膨出して形成されている。
【００２６】
図３に示すようにファン用収容部２１３内にはファン２２が収容されている。このファン２２は、円筒形状の周面に羽が設けられたシロッコファンであり、ファンモータ２２ａ（図１参照）により回転駆動されると取込口２１１から空気を取り込み、取り込んだ空気を周面から送出するように構成されている。ファン２２の周面の一方側には、ファン２２の周面から送出された空気をヒータ用収容部２１４に送るための送風路２１ａが形成されている。
【００２７】
ヒータ用収容部２１４内にはヒータ２３が収容されている。このヒータ２３は温風を浴室内に吹き出すために使用される。図１に示すようにヒータ用収容部２１４の上側には基板２５が取り付けられている。この基板２５には、ファン２２のファンモータ、ヒータ２３、ダンパ２４、イオン発生装置２６が接続されており、これらの動作が制御されるようになっている。
【００２８】
ヒータ用収容部２１４の側方には、外ケース４の排出口４１と接続する排出口２１５が設けられている。この排出口２１５の内側にはダンパ２４が設けられている。このダンパ２４は任意の角度に回動して、送風路２１ａから流れてきた空気を排出口２１５や吹出口２１２に量を調整して送るものである。
【００２９】
以上のように構成されている送風装置１は、ファン２２が回転すると、取込口２１１から浴室内の空気を取り込み、周面から送出する。この送出された空気は送風路２１ａを通りダンパ２４によって吹出口２１２から浴室内に吹き出される、あるいは排出口２１５、４１、ジョイント接続部材４２、排出ダクトを介して建物の外に排出される。
【００３０】
また、この送風装置１では、図３に示すように送風路２１ａにイオン発生装置２６が配置されている。このイオン発生装置２６は、底面にプラスイオンを発生するプラス電極２６ａと、マイナスイオンを発生するマイナス電極２６ｂとを備えている。
【００３１】
このプラス電極２６ａとマイナス電極２６ｂは、図４に示すように送風路２１ａを流れる空気Ａにプラスイオンとマイナスイオンを放出して浴室内の空気を処理するものであり、送風路２１ａに対して直交するように配置されている。したがって、プラス電極２６ａを通る空気Ｂとマイナス電極２６ｂを通る空気Ｃは混ざり合うことがないので、プラスイオンとマイナスイオンは打ち消されずに浴室内へ送られて浴室内の空気中にある菌を分解することが可能になる。よって、本実施の形態の送風装置１は、浴室内の空気の処理効率を高めることができる。
【００３２】
さらに、送風路２１ａにおいてイオン発生装置２６の下流側には複数の整流板２８が配置されている。この複数の整流板２８は、ファン用収容部２１３の内面２１３ａから起立して形成されている。さらに複数の整流板２８は、図４に示すようにプラス電極２６ａとマイナス電極２６ｂを通る空気Ａの流れを、プラス電極２６ａを通る空気Ｂの流れとマイナス電極２６ｂを通る空気Ｃの流れとに分離するように配置されている。
【００３３】
したがって、プラス電極２６ａを通る空気Ｂとマイナス電極２６ｂを通る空気Ｃは混ざり合うのを確実に防ぐことが可能になる。これにより、プラスイオンとマイナスイオンは打ち消されずに浴室内へ送られ、室内の空気中にある菌を確実に分解することが可能になる。よって、本実施の形態の送風装置１は浴室内の空気の処理効率をさらに高めることができる。
【００３４】
なお、整流板２８の枚数はイオン発生装置２６の大きさに応じて変えることが可能である。本実施の形態の送風装置１では、送風路２１ａにおいてイオン発生装置２６の下流側に整流板２８を配置したが、整流板２８の配置位置はこの位置に限定されない。例えば、図５の（ａ）に示すようにイオン発生装置２６の上流側に整流板１２８を配置しても良いし、図５の（ｂ）に示すようにイオン発生装置２６の上流側と下流側とに整流板１２８、２８を配置しても良い。
【００３５】
また、図４や図５の（ｂ）に示すように、整流板２８をイオン発生装置２６よりも下流側に配置することにより、イオン発生装置２６の動作音（特に高音域）が吹出口２１２側に漏れるのを整流板２８で抑えることが可能になる。したがって、使用者の不快感を低減することができる。
【００３６】
また、ファン２２側（内側）の整流板２８は、他の整流板２８よりも高さが低く設定されている。これにより、ファン２２から送出された空気をファン２２と反対側（外側）に容易に流すことが可能になるので、吹出口２１２から空気を均一に浴室内に吹き出すことができる。
【００３７】
また、本実施の形態の送風装置１では、図３に示すようにイオン発生装置２６をファン２２の近傍に配置している。これにより、イオン発生装置２６の動作音は、この動作音よりも大きいファン２２の動作音により目立たなくなる。したがって、使用者にはファン２２の動作音のみが聞こえる状態になるので、使用者の不快感を低減することができる。
【００３８】
また、図１、図３、図６に示すようにイオン発生装置２６はファンケース２１の外側（ファンケース２１と外ケース４との間）に配置されており、プラス電極２６ａとマイナス電極２６ｂが送風路２１ａに露出して配置されている。したがって、浴室内の結露に伴いファンケース２１内の湿度が高くなっても、イオン発生装置２６はプラス電極２６ａとマイナス電極２６ｂのみがファンケース２１内に配置されているので、湿度により動作に影響が生じるのを防ぐことができる。
【００３９】
次に、イオン発生装置２６の取り付け構造について具体的に説明する。図７に示すようにファンケース２１の上面には、送風路２１ａ（図３参照）に対応する部分に取り付け用開口部２１６が設けられている。
【００４０】
これに対してイオン発生装置２６はホルダー２７内に収容されてイオン発生ユニット３０を形成し、この状態で取り付け用開口部２１６に嵌め込まれる。ホルダー２７は取り付けネジ２９，２９等の固定部材によりファンケース２１の上面（外面）に取り付けられる。  
【００４１】
以上のようにしてイオン発生装置２６はホルダー２７を利用してファンケース２１の上面に取り付けられるので、イオン発生装置２６の取り付け作業を容易に行うことができる。また、イオン発生装置２６はホルダー２７により覆われるので、イオン発生装置２６を外部の衝撃から守ることもできる。
【００４２】
また、図８に示すようにホルダー２７は、イオン発生装置２６を収容するように下面が開口した容器状に形成されている。さらに、このホルダー２７は、左右に分割された一対の分割材２７１，２７２が組み付けられて構成されている。双方の分割材２７１，２７２は同じ部材であり前後逆に配置されている。
【００４３】
図８と図９の（ａ）と（ｂ）を用いて分割材２７１，２７２の構成を説明する。左側分割材２７１は、左側壁２７１１、後壁２７１２、上壁２７１３を備えている。左側壁２７１１の外側から後壁２７１２の外側にはフランジ２７１４が形成されている。フランジ２７１４と左側壁２７１１とには補強のためのリブ２７１５が形成されている。
【００４４】
左側壁２７１１の前部には係合穴２７１ａが設けられている。左側壁２７１１の中間部の下側にはイオン発生装置２６を保持する鉤状の保持爪２７１ｂ，２７１ｂが設けられている。フランジ２７１４の後角部にはネジ２９（図７参照）を通すネジ穴２７１ｃが設けられている。後壁２７１２の内端側には係合爪２７１ｄが右方に突出して設けられている。上壁２７１３の内端側には、右方へ突出した係合爪２７１ｅと係合穴２７１ｆが設けられている。
【００４５】
右側分割材２７２は、右側壁２７２１、前壁２７２２、上壁２７２３を備えている。右側壁２７２１の外側から前壁２７２２の外側にはフランジ２７２４が形成されている。フランジ２７２４と右側壁２７２１とには補強のためのリブ２７２５が形成されている。
【００４６】
フランジ２７２４の前角部にはネジ２９（図７参照）を通すネジ穴２７２ｃが設けられている。前壁２７２２の内端側には係合爪２７２ｄが左方に突出して設けられている。右側壁２７２１の中間部の下側にはイオン発生装置を保持する鉤状の保持爪２７２ｂ，２７２ｂが設けられている。右側壁２７２１の後部には係合穴２７２ａが設けられている。上壁２７２３の内端側には、左方へ突出した係合爪２７２ｅと係合穴２７２ｆが設けられている。
【００４７】
以上のように構成されているホルダー２７内にイオン発生装置２６を収容するには、例えば以下の順序で行う。
【００４８】
最初に、左側分割材２７１内にイオン発生装置２６を入れて保持爪２７１ｂ，２７１ｂで保持する。
【００４９】
次に、左側分割材２７１の係合穴２７１ａ、２７１ｆに、右側分割材２７２の係合爪２７２ｄ、２７２ｅを入れて係合させる。同時に、左側分割材２７１の係合爪２７１ｄ、２７１ｅを、右側分割材２７２の係合穴２７２ａ、２７２ｆに入れて係合させ、双方の保持爪２７１ｂ，２７１ｂ、２７２ｂ，２７２ｂでイオン発生装置２６を保持する。図１０の（ａ）と（ｂ）に、ホルダー２７内にイオン発生装置２６が収容された状態を示す。
【００５０】
このように本実施の形態のホルダー２７は一対の分割材２７１，２７２から構成したことにより、ホルダー２７内にイオン発生装置２６を収容する際には一方の分割材にイオン発生装置２６を入れた状態で他方の分割材を組み付ければ良い。したがって、ホルダーが分割されていない場合に比べてイオン発生装置２６をホルダー２７内に容易に収容することができる。
【００５１】
また、図１０の（ａ）に示すようにイオン発生装置２６の外周面全体には防水性のシール材５３が設けられている。これによりイオン発生装置２６をファンケース２１の取り付け用開口部２１６に嵌め込んだときには、イオン発生装置２６と取り付け用開口部２１６との間にシール材５３が設けられた状態になる。したがって、本実施の形態の送風装置１は、イオン発生装置２６自体を防水構造にしなくても、取り付け用開口部２１６を介してファンケース２１の外部から内部に水が浸入するのを防ぐことができ、防水機能を高めることができる。
【００５２】
なお、取り付け用開口部２１６の周縁にシール材を設けたり、あるいはイオン発生装置２６の外周面全体と取り付け用開口部２１６の周縁の双方にシール材を設けて、イオン発生装置２６と取り付け用開口部２１６との間にシール材が設けられた状態にしても良い。
【００５３】
さらに、ホルダー２７の双方の分割材２７１，２７２の各底面には、ネジ穴２７１ｃ、２７２ｃと保持爪２７１ｂ，２７１ｂ、２７２ｂ，２７２ｂを除く部分に防水性のシール材５１、５２が設けられている。これによりホルダー２７をファンケース２１の上面に取り付けたときには、ホルダー２７とファンケース２１の上面との間にシール材５１、５２が設けられた状態になる。したがって、本実施の形態の送風装置１は、取り付け用開口部２１６を介してファンケース２１の外部から内部に水が浸入するのを確実に防ぐことができ、防水機能をさらに高めることができる。
【００５４】
以上、本発明に係る実施の形態を例示したが、この実施の形態は本発明の内容を限定するものではない。また、本発明の請求項の範囲を逸脱しない範囲であれば、各種の変更等は可能である。
【００５５】
例えば、本実施の形態では、送風装置１に設けられる空気処理装置としてイオン発生装置２６を使用した場合に本発明を適用したが、他の空気処理装置（芳香装置等）を使用した場合で本発明を適用しても良い。また、本実施の形態では、送風装置１を浴室に設置したものを記載したが、他の室内に設置するようにしても良い。
【産業上の利用可能性】
【００５６】
以上説明したように本発明の送風装置は、室内の空気の処理効率を高めることができる。したがって、本発明の送風装置を、送風装置の技術分野で十分に利用することができる。
【符号の説明】
【００５７】
１    送風装置
２１    ファンケース
２１ａ    送風路
２２    ファン
２６    イオン発生装置（空気処理装置）
２６ａ    プラス電極（空気処理部）
２６ｂ    マイナス電極（空気処理部）
５１    防水性のシール材
５２    防水性のシール材
５３    防水性のシール材
２１６    取り付け用開口部
Ａ    プラス電極とマイナス電極を通る空気
Ｂ    プラス電極を通る空気
Ｃ    マイナス電極を通る空気
【図１】
0005640891.tif 000002
【図２】
0005640891.tif 000003
【図３】
0005640891.tif 000004
【図４】
0005640891.tif 000005
【図５】
0005640891.tif 000006
【図６】
0005640891.tif 000007
【図７】
0005640891.tif 000008
【図８】
0005640891.tif 000009
【図９】
0005640891.tif 000010
【図１０】
0005640891.tif 000011